(57)【特許請求の範囲】
【請求項１】
脚部が垂直に昇降する機構を備え、該昇降式脚部に支持された昇降台にリクライニング機構を有する昇降式脚部を備えたリクライニング式ベッドにおいて、前記脚部は、前後方向に所望の間隔を隔てて幅方向に相平行する２本一対の短尺フレームと、該短尺フレームの両端部（４隅）に設けた接地部材とで本体が構成され、前記昇降台は幅方向に所望の間隔を隔てて相平行する２本一対のフレームおよび該フレームの前部および後部に横接した２本一対の連結ロッドとで構成され、前記脚部本体に前記昇降機構を介して前記昇降台が支持構成され、前記昇降機構は前記昇降台に取付けられた少なくとも１台のアクチュエータと、該アクチュエータにて前記昇降台の前部および後部を同時に昇降させるための駆動機構とで構成され、前記昇降駆動機構は前記昇降台と前記脚部本体との間に設けた昇降用可動アーム、前記昇降用可動アームと前記脚部本体との間に設けた一対の昇降用可動アーム揺動防止用歯車および、前記昇降用可動アームと前記揺動防止用歯車との間に設けた昇降動作用リンク機構を備え、前記アクチュエータの前進動作により前記昇降用可動アームが前記昇降動作用リンク機構および揺動防止用歯車を介して上方に回動して前記昇降台が上昇し、前記アクチュエータの後進動作により前記昇降用可動アームが前記上昇時と逆方向に回動して前記昇降台が下降する仕組みとなすとともに、該昇降台が前記揺動防止用歯車と昇降動作用リンク機構により所定の高さ位置に固定される機構となし、該昇降台にマット受台を設ける構成となしたことを特徴とする、昇降式脚部を備えたリクライニング式ベッド。
【請求項２】
前記昇降機構は、前記昇降台の前部および後部に横接した２本一対の連結ロッドを同時に回動させるアクチュエータと、前記２本一対の連結ロッドにそれぞれ一端を固着され他端に揺動防止用移動歯車を有する少なくとも２個の昇降用可動アームと、前記昇降用可動アームの端部に回動可能に取着された前記揺動防止用移動歯車と噛合するごとく対をなして前記脚部本体に回動可能に取着された揺動防止用固定歯車と、前記昇降用可動アームと該アームに軸着された揺動防止用移動歯車との間に設けられ、前記揺動防止用移動歯車と、該昇降用可動アームに枢着された略三角形状のガイド孔付きリンクとをつなぐ棒状リンクと、前記略三角形状のガイド孔付きリンクのガイド孔内を摺動するごとく前記昇降用可動アーム側に取着されたガイドピンとからなる昇降動作用リンク機構と、前記アクチュエータの前進動作により前記昇降用可動アームが前記昇降駆動機構と前記一対の揺動防止用歯車および前記昇降動作用リンク機構を介して上方に回動して前記昇降台が上昇し、前記アクチュエータの後進動作により前記昇降用可動アームが前記上昇時と逆方向に回動して前記昇降台が下降する仕組みとなすとともに、該昇降台の上昇時および下降時において、前記昇降用可動アームと前記脚部本体に回動可能に取着された一対の揺動防止用歯車と、前記昇降動作用リンク機構の作用により、該昇降台の前後方向の移動を安定させると同時に前記一対の揺動防止用歯車の噛合により該昇降台が前後方向に揺動することなく固定される機構となしたことを特徴とする請求項１に記載の昇降式脚部を備えたリクライニング式ベッド。
【請求項３】
前記マット受け台は背当てフレーム（背もたれ部）と、長さの異なる少なくとも２本のフレームを継ぎ目部で屈曲自在に連結して１本となした相平行する２本一対のフレームとで構成され、前記背当てフレームがリクライニング機構にて傾動可能となすとともに、該背当てフレームの起立動作に連動して前記２本一対のフレームがその継ぎ目より山形に屈曲するごとく構成したことを特徴とする請求項１または２に記載の昇降式脚部を備えたリクライニング式ベッド。
【請求項４】
前記リクライニング機構は、前記昇降台に取付けられた少なくとも１台のアクチュエータにて前記マット受け台の背当てフレームがその付け根部を支点に回動可能に設けられた構成となしていることを特徴とする請求項１乃至３のいずれか１項に記載の昇降式脚部を備えたリクライニング式ベッド。
【請求項５】
前記リクライニング機構は、前記昇降台に回動可能に枢着されたリンクに前記マット受け台の背当てフレームがその付け根部を支点に回動可能に枢着され、かつ該背当てフレームの付け根部に固着された略三角形状の連結板と前記昇降台との間に配設した伸縮ロッドにて該背当てフレームが支持されるとともに、前記昇降台に取付けられた少なくとも１台のアクチュエータにより前記略三角形状の連結板を介して該背当てフレームが回動する機構となし、かつ前記背当てフレームの起立動作に伴い前記昇降台に回動可能に枢着された前記リンクが当該枢軸を支点に後方に回動する分、該背当てフレームが後方へ移動する仕組みとなしたことを特徴とする請求項１ないし３のいずれか１項に記載の昇降式脚部を備えたリクライニング式ベッド。
【請求項６】
前記昇降台に回動可能に枢着された前記リンクとマット受け台の前記背当てフレームと反対側端部との間を接続部材によりつなぎ、前記背当てフレームの起立動作に連動して前記接続部材により前記２本一対のフレームの反対側端部が引っ張られて当該フレームがその継ぎ目より山形に屈曲する仕組みとなしたことを特徴とする請求項５に記載の昇降式脚部を備えたリクライニング式ベッド。
【発明の詳細な説明】
【技術分野】
【０００１】
本発明は、昇降式脚部を備えたリクライニング式ベッドに係り、より詳しくは昇降式脚部が垂直に昇降する機構を備えたリクライニング式ベッドに関する。
【背景技術】
【０００２】
病院、施設あるいは在宅で使用されるベッドにおいて、ベッド全体や昇降、マットの起伏調節自在とした機能を備えたものが普及しつつある。その中で、昇降式脚部を備えたリクライニング式ベッドとしては、例えばベッドをいす状に転換できる介護ベッド（特許文献１参照）、ベッド本体が上下二つのフレームから構成され、それぞれ独立分離させて移動可能となるようにした介護用ベッド（特許文献２参照）が知られている。また、昇降式脚部が垂直に昇降する機構を備えたベッドとして、脚部をフレームから分離構成し、脚部に昇降機構および駆動源を内蔵した昇降式脚部を備えたベッド（特許文献３、４参照）等が提案されている。
【特許文献１】特開２０００−１２６２４７号公報
【特許文献２】特開２００６−３１４６９０号公報
【特許文献３】特開平５−３００９２３号公報
【特許文献４】特開平６−１９０００８号公報
【発明の開示】
【発明が解決しようとする課題】
【０００３】
しかしながら、前記した従来のベッドにおいては、ベッド本体および脚部の昇降機構が複雑で、組立て式のベッドでも組立て工数が多くかつ繁雑であり、また脚部の昇降機構の駆動部がベッド下面に張り出して取付けられたりするため、低床化には限度があることや、運搬しやすい構成体に分解することも困難であったり、さらに脚部の昇降機構が複雑であるベッドの場合は、ベッド下の床面の掃除が困難であるといった問題点があった。さらにまた、昇降式脚部が垂直に昇降する機構を備えた従来のベッドの場合もその垂直昇降機構を備えた脚部の下面を掃除するためにはその都度ベッド全体を移動させる必要があり不便であった。
【０００４】
本発明は、従来の前記した問題点を解消すべくなされたもので、運搬しやすい構成体に分解できるのみならず、ベッド下の床面の掃除も容易に行える、構造簡単にして安定かつ信頼性に富む垂直昇降機構を備えた脚部を有するリクライニング式ベッドを提供しようとするものである。
【課題を解決するための手段】
【０００５】
本発明に係る昇降式脚部を備えたリクライニング式ベッドは、少なくとも一台の駆動源（アクチュエータ）でかつ簡易にして安定した動作が得られる機構によりベッドを垂直に昇降でき、また、一台の駆動源（アクチュエータ）でマットを傾倒できるとともに、着座姿勢のとき腹部を圧迫せずに快適に背もたれを傾動できるリクライニング機構を備えたもので、その要旨は、脚部が垂直に昇降する機構を備え、該昇降式脚部に支持された昇降台にリクライニング機構を有する昇降式脚部を備えたリクライニング式ベッドにおいて、前記脚部は、前後方向に所望の間隔を隔てて幅方向に相平行する２本一対の短尺フレームと、該短尺フレームの両端部（４隅）に設けた接地部材とで本体が構成され、前記昇降台は幅方向に所望の間隔を隔てて相平行する２本一対のフレームおよび該フレームの前部および後部に横接した２本一対の連結ロッドとで構成され、前記脚部本体に前記昇降機構を介して前記昇降台が支持構成され、前記昇降機構は前記昇降台に取付けられた少なくとも１台のアクチュエータと、該アクチュエータにて前記昇降台の前部および後部を同時に昇降させるための駆動機構とで構成され、前記昇降駆動機構は前記昇降台と前記脚部本体との間に設けた昇降用可動アーム、前記昇降用可動アームと前記脚部本体との間に設けた一対の昇降用可動アーム揺動防止用歯車および、前記昇降用可動アームと前記揺動防止用歯車との間に設けた昇降動作用リンク機構を備え、前記アクチュエータの前進動作により前記昇降用可動アームが前記昇降動作用リンク機構および揺動防止用歯車を介して上方に回動して前記昇降台が上昇し、前記アクチュエータの後進動作により前記昇降用可動アームが前記上昇時と逆方向に回動して前記昇降台が下降する仕組みとなすとともに、該昇降台が前記揺動防止用歯車と昇降動作用リンク機構により所定の高さ位置に固定される機構となし、該昇降台にマット受台を設ける構成となしたことを特徴とするものである。
【０００６】
この昇降式脚部を備えたリクライニング式ベッドにおける前記昇降機構としては、前記昇降台の前部および後部に横接した２本一対の連結ロッドを同時に回動させるアクチュエータと、前記２本一対の連結ロッドにそれぞれ一端を固着され他端に揺動防止用移動歯車を有する少なくとも２個の昇降用可動アームと、前記昇降用可動アームの端部に回動可能に取着された前記揺動防止用移動歯車と噛合するごとく対をなして前記脚部本体に回動可能に取着された揺動防止用固定歯車と、前記昇降用可動アームと前記揺動防止用移動歯車との間に設けられ、前記揺動防止用移動歯車と該昇降用可動アームに枢着された略三角形状のガイド孔付きリンクとをつなぐ棒状リンクと、前記略三角形状のガイド孔付きリンクのガイド孔内を摺動するごとく前記昇降用可動アーム側に取着されたガイドピンとからなる昇降動作用リンク機構と、前記アクチュエータの前進動作により前記昇降用可動アームが前記昇降駆動機構と前記一対の揺動防止用歯車および前記昇降動作用リンク機構を介して上方に回動して前記昇降台が上昇し、前記アクチュエータの後進動作により前記昇降用可動アームが前記上昇時と逆方向に回動して前記昇降台が下降する仕組みとなすとともに、該昇降台の上昇時および下降時において、前記昇降用可動アームと前記脚部本体に回動可能に取着された一対の揺動防止用歯車と、前記昇降動作用リンク機構の作用により、該昇降台の前後方向の移動を安定させると同時に前記一対の揺動防止用歯車の噛合により該昇降台が前後方向に揺動することなく固定される機構を採用することができる。
【０００７】
また、本発明の前記昇降式脚部を備えたリクライニング式ベッドにおけるマット受台としては、背もたれ部を構成する背当てフレームと、長さの異なる少なくとも２本のフレームを継ぎ目部で屈曲自在に連結して１本となした相平行する２本一対のフレームとで構成され、前記背当てフレームがリクライニング機構にて傾動可能となすとともに、該背当てフレームの起立動作に連動して前記２本一対のフレームがその継ぎ目より山形に屈曲する構成となしたものを好ましい態様とするものである。
【０００８】
一方、本発明の前記昇降式脚部を備えたリクライニング式ベッドにおけるリクライニング機構としては、前記昇降台に取付けられた少なくとも１台のアクチュエータにて前記マット受け台の背当てフレーム（背もたれ部）がその付け根部を支点に回動可能に設けられた構成となしていることを好ましい態様とするものである。このリクライニング機構はまた、前記昇降台に回動可能に枢着されたリンクに前記マット受け台の背当てフレームがその付け根部を支点に回動可能に枢着され、かつ該背当てフレームの付け根部に固着された略三角形状の連結板と前記昇降台との間に配設した伸縮ロッドにて該背当てフレームが支持されるとともに、前記昇降台に取付けられた少なくとも１台のアクチュエータにより前記略三角形状の連結板を介して該背当てフレームが回動する機構となし、かつ前記背当てフレームの起立動作に伴い前記昇降台に回動可能に枢着された前記リンクが当該枢軸を支点に後方に回動する分、該背当てフレームが後方へ移動する仕組みとなしたものを好ましい態様とするものである。
また本発明では、前記昇降台に回動可能に枢着された前記リンクとマット受け台の前記背当てフレームと反対側端部との間を接続部材によりつなぎ、前記背当てフレームの起立動作に連動して前記接続部材により前記２本一対のフレームの反対側端部が引っ張られて当該フレームがその継ぎ目より山形に屈曲する仕組みとなすことや、前記マット受台上に、内部に空洞部を有する同一幅および長さを有する細幅薄肉の板状部材を定間隔に多数並設するとともに各板状部材を連結部材を介して伸縮可能に接続して構成されたマット受けを載置する構造となすことを好ましい態様とするものである。
【発明の効果】
【０００９】
本発明に係る昇降式脚部を備えたリクライニング式ベッドは、以下に記載する効果を奏する。
（１）ベッド本体および脚部の垂直昇降機構が構造簡単で組立て工数も少なく、しかも安定した昇降動作が得られる。
（２）脚部の昇降機構の駆動部は、少なくとも一台のアクチュエータで構成することができるので、ベッド下面に張り出して取付けられたりすることがなく低床化がはかられる上、ベッド下の床面の掃除も容易に行うことができる。
（３）ベッド全体を脚部、本体フレーム、脚部の昇降機構の駆動源（アクチュエータ）、ヘッドボードとフットボード、マットのリクライニング機構の駆動源（アクチュエータ）、マット受け、マット等、運搬しやすい構成体に分解することが容易であり、梱包の簡易化、重量の分散化がはかられ、ベッドの搬入・搬出を容易に行うことができる。
（４）脚部の昇降機構およびマットのリクライニング機構の駆動をボタン操作で簡単に行うことができるので複雑な操作を必要とせず、臥位から座位までの任意かつ適切な姿勢を設定することができる。
（５）リクライニング時に背もたれ部が若干後方に移動する機能を有するため、使用者が着座姿勢をとるとき腹部に圧迫感や苦痛感を感じることが極めて少なくかつ体の前方へのすべりを防止して快適な姿勢を取ることができる。
【発明を実施するための最良の形態】
【００１０】
図１は本発明に係るリクライニング式ベッドの垂直昇降式脚部の全体構成の一実施例を示す概略斜視図、図２は同上垂直昇降式脚部の昇降機構の要部を拡大して示す概略斜視図、図３は同上昇降式脚部に設けられたリクライニング機構付きマット受台の構成を示す概略斜視図、図４は同上リクライニング機構の要部を拡大して示す概略斜視図、図５は同上垂直昇降式脚部の昇降動作を説明するための概略側面図、図６は同上垂直昇降式脚部に設けられたマット受台のリクライニング動作を説明するための概略側面図、図７は本発明におけるマット受けの一例を示す一部平面図、図８は同上マット受けの一部拡大断面図であり、１は垂直昇降式脚部、２は脚部本体、３は昇降台、４はマット受台、５は昇降用アクチュエータ、６はリクライニング用アクチュエータ、７は伸縮式マット受け、８はヘッドボード、９はフットボードである。
【００１１】
本発明に係るリクライニング式ベッドの垂直昇降式脚部１は、図１、図２に示すごとく前後方向に所望の間隔を隔てて幅方向に相平行する２本一対の短尺フレーム２−１と、該短尺フレーム２−１の両端部（４隅）に設けた接地部材２−２とで脚部本体２が構成されている。なお、この脚部本体２は、前後に位置する２本一対の短尺フレーム２−１間にも長尺フレームを横設して４本のフレームで構成することも可能であるが、この場合長尺フレームは必ずしも必要とするものではなく、脚体の重量や床面の掃除等のことを考慮すると、むしろ長尺フレームは省略した方が好ましい。このため、本発明では幅方向に相平行する２本一対の短尺フレーム２−１と、該短尺フレーム２−１の両端部（４隅）に設けた接地部材２−２とで脚部本体２を構成することとした。
【００１２】
昇降台３は、前記脚部本体２の前後方向の長さとほぼ同一長さを有する相平行する左右２本一対のパイプ形のフレーム３−１を前記脚部本体２の幅方向長さとほぼ同一幅を隔てて配置され、かつ該フレーム３−１の前部と後部に前記脚部本体２の短尺フレーム２−１より内側位置に固着した左右２個一対の４個の垂直支持板３−３にそれぞれ回転可能に横設した２本一対の連結ロッド３−２により一体構造となしている。この昇降台３の昇降機構は、該昇降台３の左右のフレーム３−１の前記連結ロッド３−２間に固着した左右２個一対の垂直支持板３−５に横設した支持部材３−４にその後部をブラケット３−７を介して取付けた１台の昇降用アクチュエータ５と、この昇降用アクチュエータ５により当該昇降台の前部および後部を同時に昇降させるための昇降駆動機構とで構成されている。
【００１３】
この昇降駆動機構は、前記昇降用アクチュエータ５の伸縮ロッド５−１の先端部と回動可能に連結され、前記回転可能な脚体前側の連結ロッド３−２に直角に固着されたブラケット３−８と、前記支持部材３−４に前記ブラケット３−７に隣接して固設された一対のブラケット３−１０にその中央部を回動可能にほぼ垂直方向に軸着されて前後に揺動する揺動レバー３−９と、該揺動レバー３−９の下端部と、前記ブラケット３−８に隣接して同じ連結ロッド３−２に直角に固着されたブラケット３−１２との間に配設されてその両端接続部が回動可能に軸着された長尺ロッド３−１１と、前記回転可能な脚体後側の連結ロッド３−２に直角に固着されたブラケット３−１３と前記揺動レバー３−９の上端部との間に配設されてその両端接続部が回動可能に軸着された短尺ロッド３−１４とで構成され、前記昇降用アクチュエータ５の前進動作により前記脚体前側の連結ロッド３−２に直角に固着されたブラケット３−８が該連結ロッド３−２を支点にして前方に回動すると同時に、同連結ロッド３−２に固着されたブラケット３−１２と揺動レバー３−９間に横設した長尺ロッド３−１１を介して揺動レバー３−９が前側に引張られることにより該揺動レバー３−９が後側に傾動し、該揺動レバー３−９の上端部に軸着された短尺ロッド３−１４を介して、連結ロッド３−２に直角に固着されたブラケット３−１３が該連結ロッド３−２を支点にして後方に回動する仕組みとなっている。そして、前記脚体前側および後側に配設した連結ロッド３−２の両端部に４個の昇降用可動アーム３−１５がそれぞれ固着されている。この昇降用可動アーム３−１５は、前記脚体前側および後側に配設した連結ロッド３−２に固着したブラケット３−８、３−１３とそれぞれ直角となる方向に一端が固着され、他端には前記脚部本体２の短尺フレーム２−１の両端部に設置した揺動防止用固定歯車３−１７と噛合する揺動防止用移動歯車３−１６を有している。さらに、前記昇降用可動アーム３−１５に取着された揺動防止用移動歯車３−１６の外周端部に突設した突起３−１６ａと、前記昇降用可動アーム３−１５の前記突起３−１６ａと反対側の端部に軸ピン３−１９にて回動可能に枢着された略三角形状のガイド孔付きリンク３−１８の一端とを棒状リンク３−２０にてつなぎ、前記略三角形状のリンク３−１８に前記棒状リンク３−２０の動作を規制するために形成したガイド孔３−１８ａ内を摺動するガイドピン３−２１を前記昇降用可動アーム３−１５の側面に取着して昇降動作用リンク機構を構成している（図２）。すなわち、前記昇降用アクチュエータ５の前進動作により該伸縮ロッド５−１が伸びると同時に前記脚体前側および後側に配設した連結ロッド３−２に固着したブラケット３−８、３−１３が互いに相反する方向に押され連結ロッド３−２を支点として昇降用可動アーム３−１５が回動し、それに伴い揺動防止用移動歯車３−１６を基点として昇降台３が持ち上げられ垂直に上昇すると同時に、揺動防止用移動歯車３−１６の回転移動により棒状リンク３−２０を介して略三角形状のリンク３−１８が引張られて軸ピン３−１９を支点に回動するとともに、昇降台３に固着されている４個の垂直支持板３−３に取着されたガイドピン３−２１がリンク３−１８のガイド孔３−１８ａ内を摺動することにより、脚体の前側および後側の連結ロッド３−２の前後方向位置は定位置のままで昇降台３が前後同時に垂直に上昇する機構となっている。なお、前記揺動防止用移動歯車３−１６と揺動防止用固定歯車３−１７は、揺動防止用移動歯車３−１６の移動量（回転距離）だけ両歯車が噛合すればよいので、両歯車は円周全体に歯を有する必要はなく、図示のように揺動防止用移動歯車３−１６の方は円周の一部のみに歯を有する歯車を用い、揺動防止用固定歯車３−１７の方は扇形状の歯車を用いることができる。３−２２は前記固定歯車３−１７の軸受である。
【００１４】
前記昇降台３に一体的に取付けられるリクライニング方式のマット受台４は、使用者が背もたれ部を起こして着座姿勢をとるとき腹部に圧迫を感じることが少なくかつ体の前方へのすべりを防止し得る構造となっており、その構成は、図３、図４に示すごとく該昇降台３の左右のフレーム３−１にその付け根部を支点に回動可能に軸着された背当てフレーム（背もたれ部）４−１と、この背当てフレーム４−１に隣接して前記昇降台３の左右のフレーム３−１に固着した一対の短尺の固定フレーム４−２と、さらに該固定フレーム４−２に隣接して前記昇降台３の左右のフレーム３−１にその両端部を回動自在に軸着された、長さの異なる２本のフレーム４−３ａ、４−３ｂをその継ぎ目部で屈曲自在に連結してなる一対の可動フレーム４−３とで構成されている。そして、前記背当てフレーム４−１は、当該フレームの付け根部に軸ピン４−１ｄ、４−１ｅにて固着した左右一対の略三角形状の連結板４−１ａ間に横設した連結ロッド４−１ｂおよび補強用ロッド４−１ｃにて左右一体に構成され、前記昇降台３の左右のフレーム３−１の内側側面に固着したブラケット４−４にその下端部を軸ピン４−５ａにて回動可能に軸着した左右一対のリンク４−５の上端部に、前記背当てフレーム４−１の下端部が回動可能に軸着され、該背当てフレーム４−１の背面側における前記昇降台３の左右のフレーム３−１間に横設した固定ロッド４−６に回動自在継手４−７を介して長さ方向に配設した２本一対の伸縮式支持ロッド４−８により該背当てフレーム４−１を支持する構造となし、その駆動機構は、該背当てフレーム４−１の前面側の前記昇降台３の左右のフレーム３−１間に横設した支持部材４−９にその後部をブラケット４−７を介して取付けた１台のリクライニング用アクチュエータ６の伸縮ロッド６−１の先端部を前記背当てフレーム４−１の連結ロッド４−１ｂに回動可能に連結して、該リクライニング用アクチュエータ６により背当てフレーム４−１を起立傾倒させる構成となすとともに、該背当てフレーム４−１の起立動作に伴い該背当てフレームの付け根部が取付けられた前記リンク４−５が当該枢軸を支点に後方に回動する分、該背当てフレーム４−１が後方へ移動する仕組みとなし、さらに、前記リンク４−５と前記可動フレーム４−３の端部に固着した連結板４−１０間につないだワイヤロープ４−１１が背当てフレーム４−１の起立動作に伴って引張られることにより前記可動フレーム４−３がその継ぎ目より山形に屈曲する仕組みとなっている。なお、前記可動フレーム４−３の背当てフレーム４−１と反対側の端部は、フットボード９が取着されるアーム９ａに回動可能に枢着されている。
【００１５】
次に、前記垂直昇降式脚部の昇降動作を図５に基づいて説明する。本発明の垂直昇降式脚部は、前記したごとく昇降用アクチュエータ５の前進動作により該伸縮ロッド５−１が伸びると同時に脚体前側（頭側）および後側（足側）に配設した連結ロッド３−２に固着したブラケット３−８、３−１３が互いに相反する方向に押され、同時に連結ロッド３−２を支点として４個の昇降用可動アーム３−１５が回動し、それに伴い揺動防止用固定歯車３−１７と噛合している揺動防止用移動歯車３−１６を基点として昇降台３が同時に持ち上げられ垂直に上昇すると同時に、揺動防止用移動歯車３−１６の回転移動により棒状リンク３−２０を介して略三角形状のリンク３−１８が引張られて軸ピン３−１９を支点に回動するとともに、昇降台３に固着されている４個の垂直支持板３−３に取着されたガイドピン３−２１がリンク３−１８のガイド孔３−１８ａ内を摺動することにより、脚体の前側および後側の連結ロッド３−２の前後方向位置が定位置のままで昇降台３が前後同時に垂直に上昇する。そして、さらに前記昇降用アクチュエータ５の前進動作を続けることにより、前記と同じ動作が行われて脚体の前側および後側の連結ロッド３−２の前後方向位置が定位置のままで昇降台３が上昇し続ける。この昇降台３の上昇時は前記したごとく一対の揺動防止用歯車３−１７、３−１６の噛合と、揺動防止用移動歯車３−１６と略三角形状のリンク３−１８との間に設けた棒状リンク３−２０およびリンク３−１８のガイド孔３−１８ａ内を摺動するガイドピン３−２１からなる昇降動作用リンク機構の作用により昇降台３が前後方向に揺れることなく昇降し、また、所定の高さ位置に安定して固定することができる。
【００１６】
続いて、マット受台４のリクライニング動作を図６に基づいて説明すると、マット受台のリクライニング動作は、昇降台３に取付けられたリクライニング用アクチュエータ６を前進動させると背当てフレーム４−１の付け根部に固着した略三角形状の連結板４−１ａが押されることにより背当てフレーム４−１が起立動作を開始し、同時に昇降台３の左右のフレーム３−１に固着したブラケット４−４にその下端部を回動可能に軸着した左右一対のリンク４−５が背面方向に回動することにより該背当てフレーム４−１が後方へ移動する。この背当てフレーム４−１の後方への移動により、使用者が背もたれ部を起こして着座姿勢をとるとき腹部に圧迫感や苦痛感を感じることが極めて少なくなる。また、この時リンク４−５と、可動フレーム４−３の端部に固着した連結板４−１０間につないだワイヤロープ４−１１が背当てフレーム４−１の起立動作に伴って引張られることにより前記可動フレーム４−３がその継ぎ目より山形に屈曲するので、使用者の下半身の部分がその山形部に載置されることにより体の前方へのすべりが防止される。
なお、山形状に屈曲した可動フレーム４−３は、当該可動フレームの山形部を手動で押さえることによりもとの水平状態に戻すことができるが、例えば該可動フレーム４−３の端部に固着した前記連結板４−１０に、前記ワイヤロープ４−１１をこの側に引き戻して可動フレーム４−３を水平状態に戻すためのリンク機構（図示せず）を取付けてレバー操作により可動フレーム４−３を水平状態に戻すようにしてもよい。
【００１７】
本発明におけるマット受けとしては、図７、図８に例示したごとく、前記リクライニンク方式のマット受台４上に、内部に空洞部７−３を有する同一幅および長さを有する細幅薄肉の板状部材７−１を定間隔に多数並設するとともに各板状部材７−１を連結部材７−２を介して伸縮可能に接続して構成された伸縮式マット受け７を採用することができる。なお、このマット受け７上に載置するマットレス（図示せず）としては、前記マット受台４の背当てフレーム（背もたれ部）４−１の起立傾倒動作および可動フレーム４−３の屈曲動作に対応できるものを用いることはいうまでもない。また、ヘッドボード８とフットボード９はそれぞれ昇降台３の左右のフレーム３−１に差込み式により着脱可能に取付けられるように構成されている。
【産業上の利用可能性】
【００１８】
本発明の昇降式脚部を備えたリクライニング式ベッドは、ベッド本体および脚部の垂直昇降機構が構造簡単で組立て工数も少なく、しかも安定した昇降動作が得られ、かつこの脚部の昇降機構の駆動部は、少なくとも一台のアクチュエータで構成することができるので、ベッド下面に張り出して取付けられたりすることがなく低床化がはかられる上、ベッド下の床面の掃除も容易に行うことができ、また、ベッド全体を脚部、本体フレーム、脚部の昇降機構の駆動源（アクチュエータ）、ヘッドボードとフットボード、マットのリクライニング機構の駆動源（アクチュエータ）、マット受け、マット等、運搬しやすい構成体に分解することが容易であり、梱包の簡易化、重量の分散化がはかられ、ベッドの搬入・搬出を容易に行うことができ、さらに、脚部の昇降機構およびマットのリクライニング機構の駆動をボタン操作で簡単に行うことができるので複雑な操作を必要とせず、臥位から座位までの任意かつ適切な姿勢を設定することができ、さらにまた、リクライニング時に背もたれ部が若干後方に移動する機能を有するため、使用者が着座姿勢をとるとき腹部に圧迫感や苦痛感を感じることが極めて少なくかつ体の前方へのすべりを防止して快適な姿勢を取ることができる等の効果を奏することから、極めて実用性に富むものである。
【図面の簡単な説明】
【００１９】
【図１】本発明に係るリクライニング式ベッドの垂直昇降式脚部の全体構成の一実施例を示す概略斜視図である。
【図２】同上垂直昇降式脚部の昇降機構の要部を拡大して示す概略斜視図である。
【図３】同上昇降式脚部に設けられたリクライニング機構付きマット受台の構成を示す概略斜視図である。
【図４】同上リクライニング機構の要部を拡大して示す概略斜視図である。
【図５】同上垂直昇降式脚部の昇降動作を説明するための概略側面図である。
【図６】同上垂直昇降式脚部に取付けられたマット受台のリクライニング動作を説明するための概略側面図である。
【図７】本発明におけるマット受けの一例を示す平面図である。
【図８】同上マット受けの一部断面図である。
【符号の説明】
【００２０】
１  垂直昇降式脚部
２  脚部本体
２−１  短尺フレーム
２−２  接地部材
３  昇降台
３−１  フレーム
３−２  連結ロッド
３−３  垂直支持板
３−４  支持部材
３−９  揺動レバー
３−１５  昇降用可動アーム
３−１６  揺動防止用移動歯車
３−１７  揺動防止用固定歯車
３−１８  略三角形状のリンク
３−１８ａ  ガイド孔
３−２０  棒状リンク
３−２１  ガイドピン
４  マット受台
４−１  背当てフレーム
４−１ａ  略三角形状の連結板
４−３  可動フレーム
４−５  リンク
４−８  伸縮式支持ロッド
４−１１  ワイヤロープ
５  昇降用アクチュエータ
６  リクライニング用アクチュエータ
７  伸縮式マット受け
８  ヘッドボード
９  フットボード
【図１】
0004547409.tif 000002
【図２】
0004547409.tif 000003
【図３】
0004547409.tif 000004
【図４】
0004547409.tif 000005
【図５】
0004547409.tif 000006
【図６】
0004547409.tif 000007
【図７】
0004547409.tif 000008
【図８】
0004547409.tif 000009